(57)【要約】【課題】  吸入ポートに装着されたアジテータが所定角度の範囲内で往復回動されるように構成し、アジテータの横手方向周面にブラッシュを突出配置し、髪の毛や糸などの細長い異物質が絡まる現象を防止することで、真空清掃機の清掃性能を向上し得る真空清掃機の吸入ヘッドを提供しようとする。【解決手段】  床上の異物質が吸入される吸入ポート101が形成されたケーシング102と、前記吸入ポート101の内側に回転自在に装着されて、その横手方向に複数のブラッシュ104bが配置されたアジテータ104と、該アジテータ104を所定角度の範囲内で往復回動し得るアジテータ駆動手段と、を包含して真空清掃機の吸入ヘッドを構成する。【選択図】      図１
2005028099.tif 000002
【特許請求の範囲】
【請求項１】
床上の異物質が吸入される吸入ポートが形成されたケーシングと、
前記吸入ポートの内側に回転自在に軸支されて、横手方向に複数のブラッシュが配置されたアジテータと、
該アジテータを所定角度の範囲内で往復回動するアジテータ駆動手段と、を含んで構成されることを特徴とする真空清掃機の吸入ヘッド。
【請求項２】
前記アジテータ駆動手段は、回転力を発生する駆動モータと、
前記アジテータが所定角度の範囲内で正逆方向に往復回動されるように、前記駆動モータの回転運動を前記アジテータの回動運動に変換する駆動力伝達手段と、から構成されることを特徴とする請求項１記載の真空清掃機の吸入ヘッド。
【請求項３】
前記駆動力伝達手段は、前記駆動モータのモータ軸に固定されて、前記モータ軸と一緒に回転される回転リンクと、
前記アジテータの外周一方側に固定されたヒンジブラケットと、
一方端は前記回転リンクの回転中心から偏心された位置にヒンジ軸支され、他方端は前記ヒンジブラケットにヒンジ軸支されたコネクティングロッドと、から構成されることを特徴とする請求項２記載の真空清掃機の吸入ヘッド。
【請求項４】
前記回転リンクは、前記回転リンクの回転中心から偏心された位置に第1ヒンジ溝が穿孔形成され、
前記ヒンジブラケットには第2ヒンジ溝が穿孔形成され、
前記コネクティングロッドの一方端には前記回転リンクの第1ヒンジ溝に挿合される第1ヒンジ軸が突成され、他方端には前記ヒンジブラケットの第2ヒンジ溝に挿合される第2ヒンジ軸が突成されることを特徴とする請求項３記載の真空清掃機の吸入ヘッド。
【請求項５】
前記回転リンクは、前記回転リンクの回転中心から偏心された位置に第1ヒンジ軸が突成され、
前記ヒンジブラケットには第2ヒンジ軸が突成され、
前記コネクティングロッドの一方端には前記回転リンクの第1ヒンジ軸が挿合される第1ヒンジ溝が穿孔形成され、他方端には前記ヒンジブラケットの第2ヒンジ軸が挿合される第2ヒンジ溝が穿孔形成されることを特徴とする請求項３記載の真空清掃機の吸入ヘッド。
【請求項６】
前記ブラッシュは、前記アジテータの横手方向に所定間隔を有して均一に配置されることを特徴とする請求項１記載の真空清掃機の吸入ヘッド。
【請求項７】
前記ブラッシュは、前記アジテータの横手方向に複数の列をなしてそれぞれ配置されることを特徴とする請求項１記載の真空清掃機の吸入ヘッド。
【請求項８】
前記ケーシングの内側には、前記吸入ポートから奥行方向に容積が縮小して形成され、前記吸入ポートから吸入される異物質を収集する吸入ノズルが更に包含されることを特徴とする請求項１記載の真空清掃機の吸入ヘッド。
【発明の詳細な説明】
【技術分野】
【０００１】
本発明は、真空清掃機の吸入ヘッドに係るもので、詳しくは、異物質を円滑に吸入すると共に、清掃の際、異物質が絡まる現象を防止して、清掃を楽に行い得る真空清掃機の吸入ヘッドに関するものである。
【背景技術】
【０００２】
従来の真空清掃機(vacuum cleaner)は、図4に示したように、吸入力を発生するためのファンモータ(fan motor)が装着された本体(main body)1と、該本体1の吸入側に連結された吸入チューブ(suction tube)2と、該吸入チューブ2に連結された連結管(connection tube)4と、該連結管4に連結されて、清掃の際、ファンモータから発生する吸入力により床上の埃などの異物質を吸入する吸入ヘッド(dust suction head)5と、を含んで構成されている。
【０００３】
又、前記吸入ヘッド5は、図5に示したように、吸入ポート(suction port)11が形成されたケーシング(casing)12と、前記吸入ポート11から吸入される異物質を収集するための吸入ノズル(suction nozzle)13と、前記吸入ポート11の内側に回転自在に装着され、その外面に複数のブラッシュ(brush)が巻回されて回転することで異物質を掻き集めて収集するアジテータ(agitator)14と、該アジテータ14を回転させるための駆動力を提供する駆動モータ(driving motor)15と、該駆動モータ15の回転力を前記アジテータ14に伝達するように、前記駆動モータ15のモータ軸(motor shaft)に軸支された駆動プーリ(driving pulley)16、前記アジテータ14の一方側に装着された従動プーリ(driven pulley)17及びそれら駆動プーリ16と前記従動プーリ17とを連結するタイミングベルト(timing belt)18により構成された回転力伝達手段(rotational force transmitting means)と、から構成される。
【０００４】
このように構成された従来の真空清掃機は、電源が印加されて、本体1の内部に装着されたファンモータが回転されると、ファンモータの吸入力により吸入ヘッド5の吸入ポート11に吸入力が発生し、このような吸入力により床上の埃等の異物質が前記吸入ポート11を通して吸入され、前記連結管4及び吸入チューブ2を通して本体1の内側に吸入される。
【０００５】
このとき、前記吸入ヘッド5の駆動モータ15が回転されると、該駆動モータ15の回転力が駆動プーリ16、タイミングベルト18及び従動プーリ17を通して前記アジテータ14に伝達されることで、前記アジテータ14は360°回転される。且つ、前記アジテータ14の回転により、該アジテータ14の外面に巻回されたブラッシュ14aが床(floor)上に付着された埃や異物質を床上から分離させて、床上に付着された埃の吸入を容易にする。
【発明の開示】
【発明が解決しようとする課題】
【０００６】
然るに、このように構成された従来の真空清掃機の吸入ヘッド5は、前記タイミングベルト18に連結された従動プーリ17が前記アジテータ14の外面に所定領域を有して装着されるため、前記従動プーリ17が装着されるアジテータ14の外面にはブラッシュ14aを装着し得ない。よって、前記ブラッシュ14aが装着されない領域の異物質は、完全にブラッシングされずに、前記吸入ポート11に容易に吸入されないため、真空清掃機の清掃性能が低下するという不都合な点があった。
【０００７】
又、前記アジテータ14が360°回転されるため、前記ブラッシュ14aに髪の毛や糸などの細長い異物質がブラッシュ14aに巻かれて絡む(tangled)現象が発生することで、真空清掃機の清掃性能が低下すると共に、前記絡まれた異物質を除去すべきであるため、使用上不便であるという不都合な点があった。
【０００８】
本発明は、このような従来の課題に鑑みてなされたもので、吸入ポートに装着されたアジテータを所定角度範囲内で往復回動(reciprocating  rotation)されるように構成することで、アジテータの横手方向全面にブラッシュを配置し、よって、髪の毛や糸などの細長い異物質の絡む現象を防止し、真空清掃機の清掃性能を向上し得る真空清掃機の吸入ヘッドを提供することを目的とする。
【課題を解決するための手段】
【０００９】
このような目的を達成するため、本発明に係る真空清掃機の吸入ヘッドは、床上の異物質が吸入される吸入ポートが形成されたケーシングと、前記吸入ポートの内側に回転自在に軸支されて、横手方向に複数のブラッシュが配置されたアジテータと、該アジテータを所定角度の範囲内で往復回動させるアジテータ駆動手段と、を含んで構成されることを特徴とする。
【発明の効果】
【００１０】
以下に説明するように、本発明に係る真空清掃機の吸入ヘッドは、前記アジテータが所定角度の範囲内で往復回動するように構成されることで、髪の毛や糸等の細長い異物質が前記アジテータに巻かれて絡まる現象を解決し得るという効果がある。
【００１１】
又、前記アジテータが所定角度の範囲内で往復回動するように構成されることで、前記アジテータの横手方向全面にブラッシュを配置して、前記吸入ヘッドの占める全体面積を均一にブラッシングするため、真空清掃機の清掃性能を向上し得るという効果がある。
【発明を実施するための最良の形態】
【００１２】
以下、本発明の実施の形態に対し、図面に基づいて説明する。
【００１３】
図1及び図2に示したように、本発明に係る真空清掃機の吸入ヘッド100は、その下方側に床上の異物質を吸入するための吸入ポート101が形成されたケーシング102と、該ケーシング102の内側に、前記吸入ポート101の奥行方向に容積が縮小して形成され、前記吸入ポート101から吸入される異物質を収集する吸入ノズル103と、前記吸入ポート101の内側に回転自在に装着された円筒状のアジテータ本体(agitator body)104a、及び該アジテータ本体104aの外周面に装着されて、異物質を掻き集めて収集する複数のブラッシュ104bにより形成されたアジテータ104と、該アジテータ104が駆動される駆動力を提供する駆動モータ105と、前記アジテータ104が所定角度の範囲内で往復回動されるように、前記駆動モータ105の駆動力を前記アジテータ104に伝達する駆動力伝達手段(driving force transmitting means)106と、を含んで構成されている。
【００１４】
又、前記アジテータ104に具備されたブラッシュ104bは、前記アジテータ104の横手方向全面に均一に突出配置され、前記アジテータ104の周面横手方向に複数の列(row)をなして配置されることが好ましいが、これに限定されることなく、前記アジテータ104の回動角度の範囲内で、1列以上突出形成されると良い。又、前記アジテータ104が所定角度の範囲内で回動される点を勘案して、前記アジテータ104の外周面全体にブラッシュ104bを配置する必要なしに、横手方向を沿って所定円周角を有する円弧状の外周面のみにブラッシュ104bを配置することで、製造原価を節減することもできる。
【００１５】
又、前記駆動力伝達手段106は、前記駆動モータ105のモータ軸114に固定されて、該モータ軸114の中心から偏心された位置に第1ヒンジ溝(first hinge hole）111aが穿孔形成された回転リンク(rotary plate)111と、前記アジテータ104の外周面一方側に固定され、第2ヒンジ溝(second hinge hole)113aが穿孔形成されるヒンジブラケット(hinge bracket)113と、一方端には前記回転リンク111の第1ヒンジ溝111aに揺動自在に挿合された第1ヒンジ軸(first hinge shaft)112aが突成され、他方端には前記ヒンジブラケット113の第2ヒンジ溝113aに揺動自在に挿合される第2ヒンジ軸(second hinge shaft)112bが突成されることで、前記回転リンク111の回転によって往復角運動(angular reciprocating motion)をするコネクティングロッド(connecting rod)112と、から構成される。
【００１６】
このとき、前記回転リンク111及び前記ヒンジブラケット113には第1及び第2ヒンジ溝111a、113aがそれぞれ穿孔形成され、前記コネクティングロッド112の両方端には第1及び第2ヒンジ軸112a、112bがそれぞれ突成されるが、これに限定されることなく、前記回転リンク111及び前記ヒンジブラケット113にヒンジ軸をそれぞれ突成し、前記コネクティングロッド112の両方端にヒンジ溝をそれぞれ穿孔形成することもできる。
【００１７】
以下、このように構成された本発明に係る真空清掃機の吸入ヘッドの作用に対し、図3の(A)〜(D)に基づいて説明する。この説明は、各部材の揺動方向は図面を基準にしているが、本発明はこれに限定されるものではない。
【００１８】
まず、真空清掃機に電源が印加されると、真空清掃機の本体から発生する吸入力により前記吸入ヘッド100の吸入ポート101に吸入力が発生し、このような吸入力により床121上の埃などの異物質が前記吸入ポート101を通して前記本体に吸入される。
【００１９】
このとき、前記吸入ヘッド100の駆動モータ105から回転力が発生し、該回転力が前記駆動力伝達手段106を通して前記アジテータ104に伝達されると、該アジテータ104は、所定角度の範囲内で往復回動される。次いで、前記アジテータ104の外面のブラッシュ104bにより床上の埃や異物質が床上から分離され、前記吸入ポート101を通して吸入される。
【００２０】
即ち、図3の(A)〜(B)に示したように、前記駆動モータ105の回転により前記回転リンク111が反時計方向に回転されると、前記コネクティングロッド112は左側方向に揺動し、よって、前記コネクティングロッド112及びヒンジブラケット113に連結されたアジテータ104は、反時計方向に所定角度回動される。
【００２１】
次いで、図3の(C)〜(D)に示したように、前記コネクティングロッド112と前記回転リンク111との連結部位が前記回転リンク111の180°に該当する位置を越えると、前記コネクティングロッド112は右側方向に揺動し、よって、前記コネクティングロッド112及びヒンジブラケット113に連結されたアジテータ104は時計方向に所定角度回動される。
【００２２】
その後、前記コネクティングロッド112と前記回転リンク111との連結部位が前記回転リンク111の0°に該当する位置を越えると、前記アジテータ104は、再び時計の反時計方向に所定角度回動される。
【００２３】
従って、アジテータ104は所定角度の範囲内で往復回動するようになり、このようなアジテータ104の揺動によって前記ブラッシュ104bが床上121をブラッシングすることで、床上121に付着された異物質を容易に吸入することができる。
【図面の簡単な説明】
【００２４】
【図１】図１は、本発明に係る真空清掃機の吸入ヘッドの構成を示した概略平面図である。
【図２】図２は、本発明に係る真空清掃機の吸入ヘッドに装着された駆動モータ及びアジテータを示した概略斜視図である。
【図３】図３の(A)〜(D)は、本発明に係る真空清掃機の吸入ヘッドに装着された駆動モータ及びアジテータの動作を示した説明図である。
【図４】図４は、従来真空清掃機を示した斜視図である。
【図５】図５は、従来真空清掃機の吸入ヘッドの構成を示した概略平面図である。
【符号の説明】
【００２５】
１００…吸入ヘッド
１０１…吸入ポート
１０３…吸入ノズル
１０４…アジテータ
１０４ａ…アジテータ本体
１０４ｂ…ブラッシュ
１０５…駆動モータ
１０６…駆動力伝達手段
１１１…回転リンク
１１４…モータ軸
１１２…コネクティングロッド
１１３…ヒンジブラケット
【図１】
2005028099.tif 000003
【図２】
2005028099.tif 000004
【図３】
2005028099.tif 000005
【図４】
2005028099.tif 000006
【図５】
2005028099.tif 000007